【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
ベース部材に対して移動支持機構により第１位置と第２位置の間を移動可能に支持された可動演出部材を、遊技状態に応じて移動させて遊技の演出を行う遊技機であって、
前記移動支持機構に、
前記ベース部材に取り付けられ、溝開口を有する溝形の外レールと、
前記外レール内に受容されかつ前記可動演出部材に取り付けられた中レールと、
前記外レール及び前記中レールより短くかつ前記外レールと前記中レールとの間の溝形隙間に収容された溝形構造をなし、前記外レール或いは前記中レールの一方を他方に対して移動可能に連結するスライダとを備えて、
前記可動演出部材が可動範囲の前記第１位置となる下端部に位置したときに、前記中レールの下端部が前記外レールの下端部側に位置する第１状態になるように構成し、
前記外レールに、前記第１状態でかつ前記スライダが前記外レールの下端部側に向けて移動した際に、前記スライダが前記外レールの下端部に到達しないように前記スライダの移動を事前に規制するスライダ規制ストッパを設けたことを特徴とする遊技機。
【請求項２】
ベース部材に対して移動支持機構により第１位置と第２位置の間を移動可能に支持された可動演出部材を、遊技状態に応じて移動させて遊技の演出を行う遊技機であって、
前記移動支持機構に、
前記可動演出部材に取り付けられ、溝開口を有する溝形の外レールと、
前記外レール内に受容されかつ前記ベース部材に取り付けられた中レールと、
前記外レール及び前記中レールより短くかつ前記外レールと前記中レールとの間の溝形隙間に収容された溝形構造をなし、前記外レール或いは前記中レールの一方を他方に対して移動可能に連結するスライダとを備えて、
前記可動演出部材が可動範囲の前記第１位置となる下端部に位置したときに、前記外レールの下端部が前記中レールの下端部側に位置する第１状態になるように構成し、
前記中レールに、前記第１状態でかつ前記スライダが前記中レールの下端部側に向けて移動した際に、前記スライダが前記中レールの下端部に到達しないように前記スライダの移動を事前に規制するスライダ規制ストッパとを設けたことを特徴とする遊技機。
【請求項３】
前記スライダ規制ストッパは、前記外レールの前記スライダが移動可能な通路上に突出した突部で構成されたことを特徴とする請求項１又は２に記載の遊技機。
【請求項４】
前記外レール及び前記中レールのうちそれらの幅方向で対向した第１対向部にそれぞれ形成された係合溝を形成し、
前記スライダに溝形構造の１対の対向側壁のそれぞれから表裏に突出して前記外レール及び前記中レールの前記係合溝に係合する溝係合突部を設け、前記外レール或いは前記中レールの一方を他方に対して移動可能に構成したことを特徴とする請求項１乃至３の何れか１の請求項に記載の遊技機。
【請求項５】
前記１対の対向側壁には、それぞれ複数ずつの貫通孔が形成され、それら複数の貫通孔に複数の球体が転動可能に受容されると共に、前記対向側壁の表裏に一部が突出した状態に保持され、前記複数の球体における前記対向側壁の表裏に突出した部分を前記溝係合突部としたことを特徴とする請求項４に記載の遊技機。
【請求項６】
前記ベース部材に取り付けられた回転駆動源と、
前記回転駆動源と前記可動演出部材と間に設けられ、前記回転駆動源が出力する回転動力を、前記可動演出部材の移動動力に変換する動力変換機構とを備えたことを特徴とする請求項１乃至６の何れか１の請求項に記載の遊技機。
【請求項７】
遊技球が流下する遊技盤と、
前記遊技盤に貫通形成された表示窓と、
前記遊技盤の後方に配置されて前記表示窓を通して前方に臨んだ画像表示画面を有した表示装置とが備えられ、
前記第１位置では、前記可動演出部材が前記遊技盤の後面のうち前記表示窓の側方に配置され、前記第２位置では、前記可動演出部材が前記遊技盤のうち前記表示窓が形成された部分と前記画像表示画面との間に配置されたことを特徴とする請求項１乃至６の何れか１の請求項に記載の遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記目的を達成するためになされた請求項１の発明に係る遊技機は、ベース部材に対して移動支持機構により第１位置と第２位置の間を移動可能に支持された可動演出部材を、遊技状態に応じて移動させて遊技の演出を行う遊技機であって、移動支持機構に、ベース部材に取り付けられ、溝開口を有する溝形の外レールと、外レール内に受容されかつ可動演出部材に取り付けられた中レールと、外レール及び中レールより短くかつ外レールと中レールとの間の溝形隙間に収容された溝形構造をなし、外レール或いは中レールの一方を他方に対して移動可能に連結するスライダとを備えて、可動演出部材が可動範囲の第１位置となる下端部に位置したときに、中レールの下端部が外レールの下端部側に位置する第１状態になるように構成し、外レールに、第１状態でかつスライダが外レールの下端部側に向けて移動した際に、スライダが外レールの下端部に到達しないようにスライダの移動を事前に規制するスライダ規制ストッパを設けたところに特徴を有する。
【手続補正６】
【補正対象書類名】明細書
【補正対象項目名】００１０
【補正方法】変更
【補正の内容】
【００１０】
請求項２の発明に係る遊技機は、ベース部材に対して移動支持機構により第１位置と第２位置の間を移動可能に支持された可動演出部材を、遊技状態に応じて移動させて遊技の演出を行う遊技機であって、移動支持機構に、可動演出部材に取り付けられ、溝開口を有する溝形の外レールと、外レール内に受容されかつベース部材に取り付けられた中レールと、外レール及び中レールより短くかつ外レールと中レールとの間の溝形隙間に収容された溝形構造をなし、外レール或いは中レールの一方を他方に対して移動可能に連結するスライダとを備えて、可動演出部材が可動範囲の第１位置となる下端部に位置したときに、外レールの下端部が中レールの下端部側に位置する第１状態になるように構成し、中レールに、第１状態でかつスライダが中レールの下端部側に向けて移動した際に、スライダが中レールの下端部に到達しないようにスライダの移動を事前に規制するスライダ規制ストッパとを設けたところに特徴を有する。
【手続補正７】
【補正対象書類名】明細書
【補正対象項目名】００１１
【補正方法】変更
【補正の内容】
【００１１】
請求項３の発明は、請求項１又は２に記載の遊技機において、スライダ規制ストッパは、外レールのスライダが移動可能な通路上に突出した突部で構成されたところに特徴を有する。
【手続補正８】
【補正対象書類名】明細書
【補正対象項目名】００１２
【補正方法】変更
【補正の内容】
【００１２】
請求項４の発明は、請求項１乃至３の何れか１の請求項に記載の遊技機において、外レール及び中レールのうちそれらの幅方向で対向した第１対向部にそれぞれ形成された係合溝を形成し、スライダに溝形構造の１対の対向側壁のそれぞれから表裏に突出して外レール及び中レールの係合溝に係合する溝係合突部を設け、外レール或いは中レールの一方を他方に対して移動可能に構成したところに特徴を有する。
【手続補正９】
【補正対象書類名】明細書
【補正対象項目名】００１３
【補正方法】変更
【補正の内容】
【００１３】
請求項５の発明は、請求項４に記載の遊技機において、１対の対向側壁には、それぞれ複数ずつの貫通孔が形成され、それら複数の貫通孔に複数の球体が転動可能に受容されると共に、対向側壁の表裏に一部が突出した状態に保持され、複数の球体における対向側壁の表裏に突出した部分を溝係合突部としたところに特徴を有する。
【手続補正１０】
【補正対象書類名】明細書
【補正対象項目名】００１４
【補正方法】変更
【補正の内容】
【００１４】
請求項６の発明は、請求項１乃至５の何れか１の請求項に記載の遊技機において、ベース部材に取り付けられた回転駆動源と、回転駆動源と可動演出部材と間に設けられ、回転駆動源が出力する回転動力を、可動演出部材の移動動力に変換する動力変換機構とを備えたところに特徴を有する。
【手続補正１１】
【補正対象書類名】明細書
【補正対象項目名】００１５
【補正方法】変更
【補正の内容】
【００１５】
請求項７の発明は、請求項１乃至６の何れか１の請求項に記載の遊技機において、遊技球が流下する遊技盤と、遊技盤に貫通形成された表示窓と、遊技盤の後方に配置されて表示窓を通して前方に臨んだ画像表示画面を有した表示装置とが備えられ、第１位置では、可動演出部材が遊技盤の後面のうち表示窓の側方に配置され、第２位置では、可動演出部材が遊技盤のうち表示窓が形成された部分と画像表示画面との間に配置されたところに特徴を有する。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
［請求項１の発明］
請求項１の遊技機に備えた移動支持機構は、外レールと、その外レールに受容された中レールとを備え、外レールと中レールとの間がスライダにてスライド可能に連結されている。そして、外レールがベース部材に固定され、中レールが可動演出部材に固定されているので、移動支持機構が、可動演出部材の第１位置と第２位置との間の移動に応じて伸縮することになり、従来のものに比べて移動支持機構の設置スペースを容易に確保することができる。
【手続補正１６】
【補正対象書類名】明細書
【補正対象項目名】００２０
【補正方法】変更
【補正の内容】
【００２０】
［請求項２の発明］
請求項２の遊技機に備えた移動支持機構は、外レールと、その外レールに受容された中レールとを備え、外レールと中レールとの間がスライダにてスライド可能に連結されている。そして、中レールがベース部材に固定され、外レールが可動演出部材に固定されているので、移動支持機構が、可動演出部材の第１位置と第２位置との間の移動に応じて伸縮することになり、従来のものに比べて移動支持機構の設置スペースを容易に確保することができる。
【手続補正１７】
【補正対象書類名】明細書
【補正対象項目名】００２１
【補正方法】変更
【補正の内容】
【００２１】
［請求項３の発明］
請求項３の発明によれば、外レールにおけるスライダが移動可能な通路上に設けられた突部によって、スライダの移動を規制することができる。
【手続補正１８】
【補正対象書類名】明細書
【補正対象項目名】００２２
【補正方法】変更
【補正の内容】
【００２２】
［請求項４の発明］
請求項４の発明によれば、スライダの溝係合突部が、各レール同士の幅方向で対向する係合溝の間に係合されるため、外レール及び中レールの移動を安定させることができる
【手続補正１９】
【補正対象書類名】明細書
【補正対象項目名】００２３
【補正方法】変更
【補正の内容】
【００２３】
［請求項５の発明］
請求項５の構成のように、１対の対向側壁にそれぞれ形成した複数の貫通孔に複数の球体が転動可能に受容して、複数の球体における対向側壁の表裏に突出した部分を溝係合突部とすることで、移動支持機構作動時の抵抗を抑えることができる。
【手続補正２０】
【補正対象書類名】明細書
【補正対象項目名】００２４
【補正方法】変更
【補正の内容】
【００２４】
［請求項６の発明］
可動演出部材を直動させるためには、例えば、移動支持機構を回転動力源にて傾動させて、可動演出部材に係る重力によって可動演出部材が移動するように構成してもよいし、請求項６の構成によれば、ベース部材に取り付けられた回転駆動源と、回転駆動源と可動演出部材と間に設けられ、回転駆動源が出力する回転動力を、可動演出部材の移動動力に変換する動力変換機構とを備えた構成にしてもよい。
【手続補正２１】
【補正対象書類名】明細書
【補正対象項目名】００２５
【補正方法】変更
【補正の内容】
【００２５】
［請求項７の発明］
請求項７の構成によれば、可動演出部材が、表示窓に対して出没して、遊技の演出を盛り上げることができる。
【手続補正２２】
【補正対象書類名】明細書
【補正対象項目名】００２６
【補正方法】変更
【補正の内容】
【００２６】
【図１】本発明の参考例に係るパチンコ遊技機の正面図
【図２】可動演出部材が第１位置に配置されたときの遊技盤の正面図
【図３】可動演出部材が第２位置に配置されたときの遊技盤の正面図
【図４】可動演出部材が第２位置に配置されたときの裏セット盤の正面図
【図５】可動演出部材が第１位置に配置されたときの可動役物装置の斜視図
【図６】可動演出部材が第２位置に配置されたときの可動役物装置の斜視図
【図７】ベース部材の斜視図
【図８】可動演出部材が第１位置に配置されたときの可動演出部材の背面図
【図９】可動演出部材が第２位置に配置されたときの可動演出部材の背面図
【図１０】（Ａ）移動支持部材を引き伸ばした状態の斜視図（Ｂ）第２外レールが中レールに対して上方にスライドした状態の斜視図（Ｃ）移動支持部材における最短状態の斜視図（Ｄ）第２外レールを取り外した移動支持部材の最短状態の斜視図
【図１１】移動支持部材の分解斜視図
【図１２】移動支持部材の断面図
【図１３】（Ａ）第１突部の斜視図（Ｂ）第２突部の斜視図
【手続補正２３】
【補正対象書類名】明細書
【補正対象項目名】００２７
【補正方法】変更
【補正の内容】
【００２７】
［参考例］
以下、本発明を適用したパチンコ遊技機１０に係る参考例を、図１〜図１３に基づいて説明する。図１に示すように、パチンコ遊技機１０は、前面が前面枠１０Ｚにて覆われており、その前面枠１０Ｚに形成されたガラス窓１０Ｗを通して遊技盤１１の遊技領域Ｒ１が視認可能になっている。
【手続補正２４】
【補正対象書類名】明細書
【補正対象項目名】００４３
【補正方法】変更
【補正の内容】
【００４３】
本参考例のパチンコ遊技機１０は、上記したリーチ状態等の演出を行うために、図５に示した可動役物装置１００を備え、その可動役物装置１００は、少なくとも本発明に係るベース部材７０と、可動演出部材５０と、「移動支持機構」に相当する移動支持部材９０とによって構成されている。
【手続補正２５】
【補正対象書類名】明細書
【補正対象項目名】００５０
【補正方法】変更
【補正の内容】
【００５０】
ここで、本参考例では、可動演出部材５０の直動範囲において、下方向の限界位置が本発明に係る「第１位置」に相当し、可動演出部材５０が第１位置に配置されると、図２に示すように可動演出部材５０が遊技盤１１の後面のうち表示装飾枠２３の下方に収容されて遊技者から見え難い退避状態になる。また、可動演出部材５０の直動範囲において、上方向の限界位置が本発明に係る「第２位置」に相当し、可動演出部材５０が第２位置に配置されると、図３に示すように表示画面３０Ｇの前面に可動演出部材５０の全体的に出現する出現状態になる。
【手続補正２６】
【補正対象書類名】明細書
【補正対象項目名】００５７
【補正方法】変更
【補正の内容】
【００５７】
なお、第１外側係合溝９１Ｍと第１内側係合溝９３Ｍ１、及び第２外側係合溝９２Ｍと第２内側係合溝９３Ｍ２、とが本発明に係る「係合溝」に相当する。また、これら第１及び第２の係合溝に係合する第１及び第２スライダ９４，９５の球体（ボール）Ｂが本発明に係る「溝係合突部」に相当する。
【手続補正２７】
【補正対象書類名】明細書
【補正対象項目名】００６０
【補正方法】変更
【補正の内容】
【００６０】
そして、本参考例では、第１外レール９１が図７に示すようにベース部材７０に設けられた受容周壁７５に固定される一方、第２外レール９２が図８に示すように可動演出部材５０に陥没形成された収容部５５に固定されている。これにより、減速機付モータ８０が駆動することに伴って中継歯車６０が駆動し、中継歯車６０の駆動にラック５１が連動して可動演出部材５０が上方に移動すると、図５から図６の変化に示すように可動演出部材５０の直動に応じて第２外レール９２及び中レール９３がスライドして移動支持部材９０が引き伸ばされる。そして、可動演出部材５０の当接突部５２Ｔがベース部材７０の上端ストッパ７４Ｕ（図７参照）に突き当たるまで移動することで可動演出部材５０が第２位置に配置され、第２状態（最長状態）となる。また、減速機付モータ８０が駆動することに伴って中継歯車６０が駆動し、中継歯車６０の駆動にラック５１が連動することで可動演出部材５０が下方に移動すると、可動演出部材５０の直動に応じて移動支持部材９０がスライドし、第２外レール９２の下端部及び中レール９３の下端部が第１外レール９１の下端部側に位置する第１状態（最短状態）となる。すると、可動演出部材５０の当接突部５２Ｔがベース部材７０の下端ストッパ７４Ｄに突き当たって可動演出部材５０が第１位置に配置される。なお、本実施形態の移動支持部材９０では、可動演出部材５０が第２位置に配置された状態（最長状態）の移動支持部材９０の長さは、可動演出部材５０が第１位置に配置された状態（最短状態）の移動支持部材９０の長さの約２倍になっている。
【手続補正２８】
【補正対象書類名】明細書
【補正対象項目名】００６１
【補正方法】変更
【補正の内容】
【００６１】
さらに、第１外レール９１における第１スライダ９４の移動経路上となる第１外側係合溝９１Ｍ，９１Ｍ上には、第１突部９６，９６が設けられている。本参考例の第１突部９６、９６は、図１１及び図１３（Ａ）に示すように、第１外レール９１における長手方向の中間位置より下端側の第１外側係合溝９１Ｍ，９１Ｍの一部を片持ち梁状に切り欠いて第１外側係合溝９１Ｍ側に張り出して（かしめて）なり、第１突部９６の先端面９６Ｓ，９６Ｓを第１外レール９１の長手方向の中間位置へ向けて第１外側係合溝９１Ｍ，９１Ｍを遮断している。そして、可動演出部材５０が第１位置に配置された状態、即ち、移動支持部材９０が第１状態（最短状態）に配置されたとき、或いは第１スライダ９４が第１突部９６，９６より上方に位置した状態で移動支持部材９０が第１状態（最短状態）に保持され、その後、第１スライダ９４が振動等によって第１外レール９１の下端側に自然に移動したときに、第１スライダ９４が第１突部９６，９６に係止（接触）して、第１スライダ９４が第１外レール９１の下端側に到達（移動）することを事前に規制することができる。これにより、第１スライダ９４が振動等によって第１外レール９１の下端側に自然に移動した場合でも、第１スライダ９４の少なくとも一部を中レール９３の長手方向における端部間の中心位置に重なった状態に保持（規制）することができる。
【手続補正２９】
【補正対象書類名】明細書
【補正対象項目名】００６２
【補正方法】変更
【補正の内容】
【００６２】
また、中レール９３における第２スライダ９５の移動経路上となる第２内側係合溝９３Ｍ２，９３Ｍ２上には、第２突部９７，９７が設けられている。本参考例の第２突部９７，９７は、図１１及び図１３（Ｂ）に示すように、中レール９３における長手方向の中間位置より下端側の第２内側係合溝９２Ｍ２，９２Ｍ２の壁の一部を切り欠いて第２内側係合溝９３Ｍ２側に張り出して（かしめて）なり、第２内側係合溝９３Ｍ２，９３Ｍ２を遮断している。そして、可動演出部材５０が第１位置に配置された状態、即ち、図１０（Ｄ）に示すように移動支持部材９０が第１状態（最短状態）に配置されたとき、或いは第２スライダ９５が第２突部９７，９７より上方に位置した状態で移動支持部材９０が第１状態（最短状態）に保持され、その後、第２スライダ９５が振動等によって中レール９３の下端側に自然に移動したときに、第２スライダ９５が第２突部９７，９７に係止（接触）して、第２スライダ９５が中レール９３の下端側に到達（移動）することを事前に規制することができる。これにより、第２スライダ９５が振動等によって中レール９３の下端側に自然と移動した場合でも、第２スライダ９５の少なくとも１部を第２外レール９２の長手方向における端部間の中心位置に重なった状態に保持（規制）することができる。
【手続補正３０】
【補正対象書類名】明細書
【補正対象項目名】００６３
【補正方法】変更
【補正の内容】
【００６３】
このように、本参考例では、最短状態において、第１スライダ９４が第１外レール９１の長手方向の中心と重なった状態で保持されると共に、第２スライダ９５が第２外レール９２の長手方向の中心と重なった状態で保持されるので、第１スライダ９４及び第２スライダ９５が第１外レール９１、第２外レール及び中レール９３の下端部に保持された場合に比べて、第１外レール９１と中レール９３との間に係るモーメント負荷及び中レール９３と第２外レール９２との間に係るモーメント負荷を軽減することができる。
【手続補正３１】
【補正対象書類名】明細書
【補正対象項目名】００６４
【補正方法】変更
【補正の内容】
【００６４】
なお、第１突部９６，９６、及び第２突部９７，９７が、本発明に係る「スライダ規制ストッパ」に相当する。
【手続補正３２】
【補正対象書類名】明細書
【補正対象項目名】００６５
【補正方法】変更
【補正の内容】
【００６５】
本参考例のパチンコ遊技機１０の構成に関する説明は以上である。次に、本参考例のパチンコ遊技機１０の作用効果について説明する。図１に示したパチンコ遊技機１０の操作ノブ２８を操作すると、遊技領域Ｒ１の上端部に遊技球が次々と弾き出されて遊技領域Ｒ１を流下する。可動演出部材５０は、通常、表示装飾枠２３の下辺部の裏側（第１位置）に隠れているため、図１に示すように、遊技者からは可動演出部材５０は見えなくなっている。
【手続補正３３】
【補正対象書類名】明細書
【補正対象項目名】００６９
【補正方法】変更
【補正の内容】
【００６９】
しかしながら、本参考例の移動支持部材９０では、第１突部９６及び第２突部９７が設けられているので、第１スライダ９４及び第２スライダ９５が振動を受けても、第１突部９６，９６によって第１スライダ９４が第１外レール９１の下端側に到達（移動）しないように事前に係止（規制）することができると共に、第２突部９７，９７によって第２スライダ９５が中レール９３の下端側に移動しないように係止（規制）することができるので、第１スライダ９４及び第２スライダ９５が第１外レール９１、第２外レール９２及び中レール９３の下端部に移動することを防止することができる。これにより、移動支持部材９０の初動抵抗を抑えることができ、可動演出部材５０をスムーズに移動（直動）させることができる。
【手続補正３４】
【補正対象書類名】明細書
【補正対象項目名】００７２
【補正方法】変更
【補正の内容】
【００７２】
このように、本参考例の移動支持部材９０では、第１外レール９１がベース部材７０に固定され、第２外レール９２が可動演出部材５０に固定されているので、移動支持部材９０が、可動演出部材５０の直動位置（第１位置から第２位置の間）に応じて伸縮することになり、従来のものに比べて移動支持部材９０の設置スペースを容易に確保することができる。
［第１実施形態］
前記参考例では、第１外レール９１がベース部材７０に固定される一方、第２外レール９２が可動演出部材５０に固定され、その第１及び第２の外レール９１，９２の間に中レール９３が受容された構成になっていたが、本実施形態に係る遊技機では、第１外レール９１をベース部材７０に固定する一方、中レール９３を可動演出部材５０に固定し、その間に第１スライダ９４を受容して第１突部９６，９６によって第１スライダ９４を位置決めした構成となっている。また、中レール９３をベース部材７０に固定する一方、第２外レール９２を可動演出部材５０に固定し、その間に第２スライダ９５を受容して第２突部９７，９７によって第２スライダ９５を位置決めした構成のものであってもよい。
【手続補正３５】
【補正対象書類名】明細書
【補正対象項目名】００７５
【補正方法】削除
【補正の内容】
【手続補正３６】
【補正対象書類名】明細書
【補正対象項目名】００７６
【補正方法】変更
【補正の内容】
【００７６】
（２）前記実施形態では、第１スライダ９４又は第２スライダ９５の対向する１対の対向側壁の間全体が中央突部９４Ｋ，９５Ｋを構成する溝底面によって連絡されていたが、１対の対向側壁の間の一部分のみが連絡された構成であってもよい。
【手続補正３７】
【補正対象書類名】明細書
【補正対象項目名】００７７
【補正方法】変更
【補正の内容】
【００７７】
（３）前記実施形態では、「スライダ規制ストッパ」を、第１外側係合溝９１Ｍの一部をカシメて形成、又は第２内側係合溝９３Ｍ２の一部をカシメて形成していたが、本発明の「スライダ規制ストッパ」は、第１又は第２突部９６，９７に限るものではなく、例えば、第１外レール９１の第１スライダ９４と対向する面、又は第２スライダ９５と対向する中レール９３の陥没凹部９３Ｋに、第１又は第２の係止棒９３Ｔ１，９３Ｔ２と同様の係止棒を設けた構成のものであってもよい。
【手続補正３８】
【補正対象書類名】明細書
【補正対象項目名】００７８
【補正方法】変更
【補正の内容】
【００７８】
また、「スライダ規制ストッパ」は、第１突部９６又は第２突部９７のように第１外側係合溝９１Ｍ又は第２内側係合溝９３Ｍ２上に突出した構成に限るものではなく、例えば、第１スライダ９４の第１外レール９１と対向する側面に第１スライダ突出部を設け、その第１スライダ突出部を、第１外レール９１に貫通形成されたスライダ係合溝に摺動可能に係合して、スライダ係合溝の下端部にスライダ突出部が突き当たることにより、第１スライダ９４の移動を規制する構成であってもよい。同様に、第２スライダに第２スライダ突出部を設け、中レール９３に貫通形成されたスライダ係合溝の下端部に第２スライダ突出部を突き当てて、第２スライダ９５の移動を規制する構成であってもよい。
【手続補正３９】
【補正対象書類名】明細書
【補正対象項目名】００７９
【補正方法】変更
【補正の内容】
【００７９】
（４）前記実施形態では、可動演出部材５０が表示装飾枠２３の下端部から出現する構成になっていたが、表示装飾枠２３の側方から可動演出部材５０が出現して鉛直方向に対して傾斜した方向に直動する構成であってもよい。
【手続補正４０】
【補正対象書類名】明細書
【補正対象項目名】００８０
【補正方法】変更
【補正の内容】
【００８０】
１０    パチンコ遊技機
５０    可動演出部材
７０    ベース部材
８０    減速機付モータ
９０    移動支持部材（移動支持機構）
９１    第１外レール
９１Ｍ    第１外側係合溝（係合溝）
９２    第２外レール
９２Ｍ    第２外側係合溝（係合溝）
９３    中レール
９３Ｍ１    第１内側係合溝（係合溝）
９３Ｍ２    第２内側係合溝（係合溝）
９４    第１スライダ
９５    第２スライダ
９６    第１突部（スライダ規制ストッパ）
９７    第２突部（スライダ規制ストッパ）
Ｂ    球体（ボール）（溝係合突部）